(57)【要約】【課題】くびれ部分を有するプラスチックボトル容器において、親指、人差し指に限定されずそれ以外の指先を含めて複数本の指先をプラスチックボトル容器に与えることを可能にするプラスチックボトル容器を提供する。【解決手段】プラスチックボトル容器は、胴部４１に全周にわたるくびれ部分４２を有する。くびれ部分４２の一部に一対の凹状の把持部４３が設けられ、この把持部４２に連続して縦方向に下方に延びる、複数本の指をおける長さの、凹状の把持部延長部を４４が連設されている。【選択図】      図３
2007168813.tif 000002
【特許請求の範囲】
【請求項１】
胴部に全周にわたるくびれ部分を有するプラスチックボトル容器において、前記くびれ部分の一部に一対の凹状の把持部を設け、この把持部に連続して縦方向に下方に延びる、複数本の指をおける長さの、凹状の把持延長部を連設したことを特徴とするプラスチック容器。
【請求項２】
把持部延長部が下方に進むにつれて先細りの形状に形成されていることを特徴とする請求項１に記載のプラスチックボトル容器。
【請求項３】
把持部の底面と把持部延長部の底面が面一であることを特徴とする請求項１又は２に記載のプラスチックボトル容器。
【請求項４】
把持部の底面と把持部延長部の底面が面一ではなく、把持部の底面のほうが把持部延長部の底面よりもプラスチックボトル容器の中心軸に近い位置に引っ込んでいることを特徴とする請求項１又は２に記載のプラスチックボトル容器。
【発明の詳細な説明】
【技術分野】
【０００１】
本発明は、プラスチックボトル容器に関し、胴部にプラスチックボトル容器を把持するための把持部を備える、特に容量の大きなプラスチックボトル容器に関する。
【背景技術】
【０００２】
プラスチックボトル容器は、炭酸飲料、果汁飲料、ミネラルウォーター、ウーロン茶、日本茶等の飲料容器として大量に使用されている。また、例えば２リットル程度の大容量のプラスチックボトル容器も使用されている。
このような大容量のプラスチックボトル容器に液体を充填した場合、液体の重さにより、プラスチックボトル容器はかなり重くなる。そのため、プラスチックボトル容器を持ち上げる際には、相当強い力でプラスチックボトル容器の胴部を把持する必要がある。また、胴部を把持する力が強くなると、容器の変形が生じたり、プラスチックボトル容器の胴部を把持した手とプラスチックボトル容器の胴部の間で滑りが生じることがあるため、プラスチックボトル容器を持ち上げにくいことがあった。また、プラスチックボトル容器の胴囲が大きいため、片手でのプラスチックボトル容器の胴部の把持が困難になるという問題があった。
又、容量が大きいプラスチックボトル容器では胴部に必要な強度を付与する為、胴部の高さ方向中間部に、ほぼ全周を囲むくびれ部分を形成している。このくびれ部分は補強部として機能するだけでなく、ここにプラスチックボトル容器の指を引っ掛ける把持部を設けることも行われている（例えば、特許文献１参照）。
また、図１に示すように、プラスチックボトル容器を前面部１１、この前面部と対向する背面部、互いに対向する左右の側面部１３、１３及び前面部１１及び背面部間を連結する４枚の斜面部１４、１４、１４、１４からなる略８角形状に形成し、側面部１３、１３に、その上部から下部にわたって円弧状の凹部１６．．．１６が連続した波形を形成し、プラスチックボトル容器を把持した際、指３１、３２が凹部１６．．．１６に入り込むように構成したプラスチックボトル容器が知られている（特許文献２参照）。
さらに、図２に示すように、プラスチックボトル容器の本体５の円筒形の胴部３に縦方向に延びる、横断面形状が略Ｖ字形の一対の把持用凹部６を設け、前記一対の把持用凹部６の最深部間における最短距離を胴部３の径の５０％以下とし、把持用凹６には、３本の補強ビード１２を設け、補強ビード１２によって耐バックリング強度を向上させると共に、把持用凹部６に指を入れたとき、全ての指の収まりを良くしたプラスチックボトル容器が知られている。
【特許文献１】特開２００４−２５００６３号公報
【特許文献２】実開平６−１８２１８号公報
【特許文献３】特開２００２−１５４１５号公報
【発明の開示】
【発明が解決しようとする課題】
【０００３】
しかしながら、特許文献１に記載されているような従来のプラスチックボトル容器は、把持部に親指と人指指を引っ掛け、他の指は単にプラスチックボトルボトル容器のくびれ部分からそれに続く胴部の表面に沿わせて持つため、掌になじみにくく、把持しにくいという欠点をを有する。
また、特許文献２、特許文献３に記載のプラスチックボトル容器は、くびれ部分のない容器について発明されたものであるのみならず、特許文献２に記載のプラスチックボトル容器には、凹部１６．．．１６を押すことにより、斜面部が変形し易い傾向にあり、取り扱いが不安定になるという欠点がある。また、特許文献３に記載のプラスチックボトル容器は胴部が円筒形のプラスチックボトル容器に関して発明されたものであり、例えば角形の胴部を有するプラスチックボトルに関して適用できないものである。
本発明が解決しようとする課題は、くびれ部分を有するプラスチックボトル容器において、親指、人差し指に限定されずそれ以外の指先を含めて複数本の指先でプラスチックボトル容器をしっかり把持することを可能にし、持ち易さを向上させたプラスチックボトル容器を提供することである。
【課題を解決するための手段】
【０００４】
請求項１に記載の発明は、上記した課題を解決するもので、胴部に全周にわたるくびれ部分を有するプラスチックボトル容器において、前記くびれ部分の一部に一対の凹状の把持部を設け、この把持部に連続して縦方向に下方に延びる、複数本の指をおける長さの、凹状の把持部延長部を連設したことを特徴とするプラスチック容器を要旨とする。
【０００５】
本発明によれば、一方の把持部に親指を引っ掛け、他方の把持部に人差し指を引っ掛け、中指、薬指、小指を把持部延長部に引っ掛けて、５本の指先の力をプラスチックボトル容器に与え、且つ親指と人差し指の間の股部をくびれ部分に沿わせてしっかりとプラスチックボトル容器を把持することができる。
また、５本の指先の掛かりがあることで、プラスチックボトル容器の中身を注ぐためにプラスチックボトル容器を斜めに傾けた場合でも誤ってプラスチックボトル容器を落とすなどのミスを防止することができる。
【０００６】
本発明において、把持部延長部を下方に進むにつれて先細りの形状に形成することができる。把持部延長部が先細りの形状に形成されていることにより、内容物充填品の落下時の衝撃に耐え且つプラスチックボトル製造時のピンホールチェック時の圧力によるバックリング現象もおこらないプラスチックボトルを提供することができる。
【０００７】
本発明において、把持部の底面と把持部延長部の底面が面一に形成することができる。また、把持部の底面と把持部延長部の底面が面一ではなく、把持部の底面のほうが把持部延長部の底面よりもプラスチックボトル容器の中心軸に近い位置に引っ込んでいるように形成することもできる。
【発明の効果】
【０００８】
本発明のプラスチックボトル容器は、胴部に全周にわたるくびれ部分を有するプラスチックボトル容器において、前記くびれ部分の一部に一対の凹状の把持部を設け、この把持部に連続して縦方向に下方に延びる、複数本の指をおける長さの、凹状の把持部延長部を連設したものであるので、一方の把持部に親指を引っ掛け、他方の把持部に人差し指を引っ掛け、中指、薬指、小指を把持部延長部に引っ掛けて、５本の指先の力をプラスチックボトル容器に与え、且つ親指と人差し指の間の股部をくびれ部分に沿わせてしっかりとプラスチックボトル容器を把持することができる。また、５本の指先の掛かりがあることで、プラスチックボトル容器の中身を注ぐためにプラスチックボトル容器を斜めに傾けた場合でも誤ってプラスチックボトル容器を落とすなどのミスを防止することができる。
【発明を実施するための最良の形態】
【０００９】
次に図面を用いて本発明を実施するための最良の形態について説明する。
【００１０】
図３乃至図７は本発明のプラスチックボトル容器の実施の形態を示す。図３は本発明のプラスチックボトル容器の実施の形態の正面図である。図４は本発明のプラスチックボトル容器の実施の形態の右側面図である。図５は図１に示すＡ−Ａ線に沿って切断して示す断面図である。図６は図１に示すＢ−Ｂ線に沿って切断して示す断面図である。図７は図１に示すＣ−Ｃ線に沿って切断して示す断面図である。尚、背面図は正面図と同一であるので図示を省略する。また、左側面図は右側面図と同一であるので図示を省略する。
【００１１】
本発明のプラスチックボトル容器１の実施の形態は、図２乃至図７に示すように、胴部４１に全周にわたるくびれ部分４２を有するプラスチックボトル容器において、前記くびれ部分４２の一部に一対の凹状の把持部４３を設け、この把持部４３に連続して縦方向に下方に延びる、複数本の指をおける長さの、凹状の把持部延長部４４を連設したものである。尚、図６において４５は装飾的に把持部４３及び把持部延長部４４を囲んで形成した線部分を示す。
【００１２】
本発明によれば、図８に示すように、一方の把持部４３に親指４６ａを引っ掛け、他方の把持部４３に人差し指４６ｂを引っ掛け、中指、薬指、小指等の指４７を把持部延長部４４に引っ掛けて、５本の指先の力をプラスチックボトル容器に与え、且つ親指と人差し指の間の股部をくびれ部分に沿わせてしっかりとプラスチックボトル容器を把持することができる。
【００１３】
また、５本の指先の掛かりがあることで、プラスチックボトル容器の中身を注ぐためにプラスチックボトル容器を斜めに傾けた場合でも誤ってプラスチックボトル容器を落とすなどのミスを防止することができる。
【００１４】
本発明において、把持部延長部４７を下方に進むにつれて先細りの形状に形成することができる。把持部延長部４７が先細りの形状に形成されていることにより、内容物充填品の落下時の衝撃に耐え且つプラスチックボトル製造時のピンホールチェック時の圧力によるバックリング現象もおこらないプラスチックボトルを提供することができる。
【００１５】
本発明において、把持部４３の底面４３ａと把持部延長部４４の底面４４ａは、図５に示すように面一に形成するのが望ましい。これに代えて、図１０に示すように、把持部４３の底面４３ａと把持部延長部４４の底面４４ａを面一ではなく、把持部４３の底面４３ａのほうが把持部延長部４４の底面４４ａよりもプラスチックボトル容器の中心軸に近い位置に引っ込んでいるように形成することもできる。
【００１６】
また、本発明において、把持部延長部は左右対称形に形成されているが、これに代えて図１１に示すように曲線部と直線部からなる非対称形に形成することも可能である。
【００１７】
本発明のプラスチックボトル容器は、通常のプラスチックボトル容器の成形法により成形することができる。例えばプリフォームを延伸ブロー成形することにより成形することができる。
【００１８】
本発明において、プラスチックボトル容器を形成する材料としては、例えばポリエチレンテレフタレート、ポリブチレンテレフタレートネポリエチレンナフタレート、ポリカーボネート、ポリアリレート、又はこれらの共重合体等の熱可塑性ポリエステル、これらの樹脂或いは他の樹脂とのブレンド物が好適であり、特にポリエチレンポリエチレンテレフタレート等のエチレンテレフタレート系ポリエステルを好適に使用することができる。また、アクリロニトリル樹脂、ポリプロピレン、プロピレン−エチレン共重合体、ポリエチレン等も使用することができる。
【００１９】
本発明は図３乃至図７に示すような角形のプラスチックボトル容器に限定されることなく、例えば円筒状の胴部を有するプラスチックボトル容器にも適用することができる。股、胴部に多数の横方向のリブを備えるプラスチックボトル容器にも適用することができる。
【産業上の利用可能性】
【００２０】
本発明は、胴部にボトル容器を把持するための把持部を備える、特に容量の大きい、例えば２ｌ程度の、炭酸飲料、果汁飲料、ミネラルウォーター、ウーロン茶、日本茶等の飲料容器に利用することができる。
【図面の簡単な説明】
【００２１】
【図１】特許文献２に記載のプラスチックボトル容器の正面図である。
【図２】特許文献３に記載のプラスチックボトル容器の正面図である。
【図３】本発明のプラスチックボトル容器の実施の形態の正面図である。
【図４】本発明のプラスチックボトル容器の実施の形態の右側面図である。
【図５】図１に示すＡ−Ａ線に沿って切断して示す断面図である。
【図６】図１に示すＢ−Ｂ線に沿って切断して示す断面図である。
【図７】図１に示すＣ−Ｃ線に沿って切断して示す断面図である。
【図８】本発明のプラスチックボトル容器を手で把持した状況を示す正面図である。
【図９】本発明のプラスチックボトル容器を手で把持した状況を示す背面図である。
【図１０】把持部延長部の別の形態を示す断面図である。
【図１１】把持部延長部の別の形態を示す略図である。
【符号の説明】
【００２２】
４１    胴部
４２    くびれ部分
４３    把持部
４３ａ  把持部の底面
４４    把持部延長部
４４ａ  把持部延長部の底面
４５    装飾線部
４６ａ  親指
４６ｂ  人差し指
４７    中指、薬指、小指等
【図１】
2007168813.tif 000003
【図２】
2007168813.tif 000004
【図３】
2007168813.tif 000005
【図４】
2007168813.tif 000006
【図５】
2007168813.tif 000007
【図６】
2007168813.tif 000008
【図７】
2007168813.tif 000009
【図８】
2007168813.tif 000010
【図９】
2007168813.tif 000011
【図１０】
2007168813.tif 000012
【図１１】
2007168813.tif 000013